(57)【要約】【課題】プロジェクターを使用する際の姿勢が切り替わっても光源装置を適正な姿勢で確実に設置でき、光源装置の性能を維持できるプロジェクターを提供すること。【解決手段】発光管４１１およびリフレクター４１２を有する光源ランプ４１と収容筐体３１とを有する光源装置３０と、光源装置３０の姿勢を検出する第１検出部５０１と、第１検出部５０１の検出結果に基づき、プロジェクター本体２の姿勢に対する光源装置３０の姿勢が所定の姿勢か否かを判断する判断部を有する制御部５００と、を備える。【選択図】図３
2010266499.tif 000002
【特許請求の範囲】
【請求項１】
画像光を拡大投写するプロジェクターにおいて、
電極間の放電により発光する発光管、および当該発光管から射出された光束を被照明領域側に向けて反射するリフレクターを有する光源ランプと、当該光源ランプを内部に収容固定する収容筐体とを有する光源装置と、
前記光源装置の姿勢を検出する第１検出部と、
前記第１検出部の検出結果に基づき、プロジェクター本体の姿勢に対する前記光源装置の姿勢が所定の姿勢か否かを判断する判断部を有する制御部と、
を備えることを特徴とするプロジェクター。
【請求項２】
請求項１に記載のプロジェクターにおいて、
前記光源ランプを点灯および消灯させる光源ランプ駆動部を有し、
前記制御部は、前記判断部の判断結果により、前記プロジェクター本体の姿勢に対する前記光源装置の姿勢が前記所定の姿勢である場合には前記光源ランプ駆動部に対して光源ランプの点灯を指示し、前記所定の姿勢ではない場合には前記光源ランプ駆動部に対して前記光源ランプの消灯を指示することを特徴とするプロジェクター。
【請求項３】
請求項１に記載のプロジェクターにおいて、
前記プロジェクター本体は、情報を出力する出力部を有し、
前記制御部は、前記判断部の判断結果により、前記プロジェクター本体の姿勢に対する前記光源装置の姿勢が前記所定の姿勢ではない場合には前記出力部に対して前記所定の姿勢ではない旨を前記情報として出力させることを特徴とするプロジェクター。
【請求項４】
請求項１〜請求項３のいずれか一項に記載のプロジェクターにおいて、
前記プロジェクター本体の設置される姿勢は、通常設置の姿勢と、当該通常設置の姿勢を上下逆転した逆転設置の姿勢と、を有し、
前記光源装置の前記所定の姿勢とは、前記プロジェクター本体の姿勢が前記通常設置および前記逆転設置のいずれの姿勢においても、前記光源装置の上下の位置関係が保持された姿勢であることを特徴とするプロジェクター。
【請求項５】
請求項１〜請求項４のいずれか一項に記載のプロジェクターにおいて、
前記プロジェクター本体の設置される姿勢を検出する第２検出部を有し、
前記判断部は、前記第１検出部と前記第２検出部との検出結果に基づき、前記プロジェクター本体の姿勢に対する前記光源装置の姿勢が所定の姿勢か否かを判断することを特徴とするプロジェクター。
【請求項６】
請求項１〜請求項５のいずれか一項に記載のプロジェクターにおいて、
前記収容筐体に設けられ、前記光源ランプから射出される光束の光軸を中心とした所定角度の回転対称位置に配置され、前記電極に電力を供給する複数のコネクターを有していることを特徴とするプロジェクター。
【請求項７】
請求項６に記載のプロジェクターにおいて、
前記プロジェクター本体は、前記複数のコネクターのうち１つに接続する単数のコネクターを備えることを特徴とするプロジェクター。
【発明の詳細な説明】
【技術分野】
【０００１】
本発明は、プロジェクターに関する。
【背景技術】
【０００２】
従来、光源装置を備え、光源装置から射出された光束を画像情報に応じて変調して画像光を形成し、形成した画像光を拡大投写するプロジェクターが知られている。また、プロジェクターは、机上に載置したいわゆる通常設置の状態（姿勢）で使用する場合と、天井（天井に取り付けた治具）に上下逆転して設置したいわゆる逆転設置（または天吊り設置）の状態（姿勢）で使用する場合とがある。この姿勢の変化に伴い、プロジェクター内部に収容される光源装置の状態（姿勢）も、通常設置の姿勢における上下の位置関係が、逆転設置の姿勢においては、上下逆転した位置関係となる。
【０００３】
特許文献１には、光源ランプとランプハウジングを備えた光源装置において、ランプハウジングに設けられて光源ランプの電極に電力を供給する複数のコネクターを備え、複数のコネクターは、光源ランプから射出される光束の光軸を中心とした所定角度の回転対称位置に配置されていることが開示されている。この構成により、複数のコネクターのうち１つを例えば光源ランプを設置する設置部などに予め設けられた光源用の電力供給部などに接続し、電圧を光源ランプの発光管の電極間に印加して光源ランプを点灯させる。そして、光源ランプが熱による白化や黒化により失透する前にランプハウジングを所定の角度だけ回転させ、他の１つのコネクターに前述の光源用の電力供給部を接続することで、発光管を所定の角度だけ回転させて発光管の他の部位に熱を流す。また、ランプハウジングを所定の角度だけ回転させる時期は、プロジェクター本体に備えるタイマーなどの時間測定手段や、光源装置を所定角度回転させる旨を報知する報知手段などを備えて対処している。このように、特許文献１では、ランプハウジングを所定の角度だけ回転させ、コネクターを付け替えるだけの簡単な操作で容易に光源ランプの寿命を延長させている。
【先行技術文献】
【特許文献】
【０００４】
【特許文献１】特開２００６−２２０８５７号公報
【発明の概要】
【発明が解決しようとする課題】
【０００５】
光源ランプのリフレクターなどが、例えば非対称形状をしている場合など、光源ランプが特殊な形状を有しており、また、光源ランプの性能を発揮させるためには、プロジェクターを使用する際の設置姿勢（例えば、通常設置や逆転設置などの姿勢）が変化しても、所定の姿勢に保持することが必要な光源装置もある。このような光源装置では、例えば、通常設置の場合と逆転設置の場合とで、光源装置が常に所定の姿勢となるように、ユーザーが光源装置の向きを変えてプロジェクター本体内部に設置し直す必要がある。なお、特許文献１の光源装置は、機構的にこのような光源装置に適用することができる。
【０００６】
しかし、特許文献１の光源装置を適用した場合、プロジェクターの動作仕様において対応が取られていない。そのため、例えば、プロジェクターの姿勢を通常設置の姿勢から逆転設置の姿勢に切り替えた場合、光源装置の姿勢が適正な姿勢（所定の姿勢）の状態から上下逆転した適正でない姿勢（所定の姿勢ではない姿勢）の状態となっても、光源装置を点灯可能にしてしまうことなどの課題がある。
【０００７】
従って、プロジェクターを使用する際の姿勢が切り替わっても光源装置を適正な姿勢で確実に設置でき、光源装置の性能を維持できるプロジェクターが要望されていた。
【課題を解決するための手段】
【０００８】
本発明は、上述した課題の少なくとも一部を解決するためになされたものであり、以下の形態または適用例として実現することが可能である。
【０００９】
（適用例１）本適用例に係るプロジェクターは、画像光を拡大投写するプロジェクターであって、（ａ）電極間の放電により発光する発光管、および発光管から射出された光束を被照明領域側に向けて反射するリフレクターを有する光源ランプと、光源ランプを内部に収容固定する収容筐体とを有する光源装置と、（ｂ）光源装置の姿勢を検出する第１検出部と、（ｃ）第１検出部の検出結果に基づき、プロジェクター本体の姿勢に対する光源装置の姿勢が所定の姿勢か否かを判断する判断部を有する制御部と、を備えることを特徴とする。
【００１０】
このようなプロジェクターによれば、第１検出部は、光源装置の姿勢を検出し、制御部は、判断部で第１検出部の検出結果に基づいてプロジェクター本体の姿勢に対する光源装置の姿勢が所定の姿勢か否かを判断する。なお、プロジェクター本体の姿勢は、例えば、従来行なっていたように、プロジェクター本体の姿勢を変化させた場合に、ユーザーがキー操作などによる入力で、プロジェクター本体の制御部に備わるプログラムを動作させ、プロジェクター本体の姿勢を設定することで得られる。これにより、光源装置のプロジェクター本体への組み込み間違いを防止し、光源装置の姿勢が所定の姿勢となるよう設置できる。従って、光源装置を適正な姿勢で確実に設置でき、光源装置の性能を維持できるプロジェクターが実現できる。
【００１１】
（適用例２）上記適用例に係るプロジェクターにおいて、光源ランプを点灯および消灯させる光源ランプ駆動部を有し、制御部は、判断部の判断結果により、プロジェクター本体の姿勢に対する光源装置の姿勢が所定の姿勢である場合には光源ランプ駆動部に対して光源ランプの点灯を指示し、所定の姿勢ではない場合には光源ランプ駆動部に対して光源ランプの消灯を指示することが好ましい。
【００１２】
このようなプロジェクターにおいて、制御部は、判断部の判断結果がプロジェクター本体の姿勢に対して「所定の姿勢である」場合には光源ランプ駆動部に対して光源ランプの点灯を指示する。これにより、光源装置（光源ランプ）は、光源ランプ駆動部からの電力により点灯することができる。また、制御部は、判断部の判断結果がプロジェクター本体の姿勢に対して「所定の姿勢ではない」場合には光源ランプ駆動部に対して光源ランプの消灯を指示する。これにより、光源装置（光源ランプ）は、光源ランプ駆動部からは電力を供給されず、消灯することや消灯を維持することができる。従って、ユーザーは、光源装置をプロジェクター本体内部に設置した場合、光源装置の設置姿勢が正しいか否かが、点灯するか点灯しないかで明確に判断できる。また、プロジェクターは、このような制御部および光源ランプ駆動部により、光源装置が適正な姿勢で設置され、光源装置の性能を維持することができる。
【００１３】
（適用例３）上記適用例に係るプロジェクターにおいて、プロジェクター本体は、情報を出力する出力部を有し、制御部は、判断部の判断結果により、プロジェクター本体の姿勢に対する光源装置の姿勢が所定の姿勢ではない場合には出力部に対して所定の姿勢ではない旨を情報として出力させることが好ましい。
【００１４】
このようなプロジェクターにより、ユーザーは、光源装置をプロジェクター本体に設置した場合、出力部から出力される情報（例えば、画像や音など）により、光源装置の設置姿勢が適性ではないことを判断することできる。また、プロジェクターは、このような制御部および出力部により、光源装置が適切な姿勢で設置され、光源装置の性能を維持することができる。
【００１５】
（適用例４）上記適用例に係るプロジェクターにおいて、プロジェクター本体の設置される姿勢は、通常設置の姿勢と、通常設置の姿勢を上下逆転した逆転設置の姿勢と、を有し、光源装置の所定の姿勢とは、プロジェクター本体の姿勢が通常設置および逆転設置のいずれの姿勢においても、光源装置の上下の位置関係が保持された姿勢であることが好ましい。
【００１６】
このようなプロジェクターによれば、プロジェクター本体の通常設置の姿勢と逆転設置の姿勢とのいずれの姿勢においても、光源装置の上下の位置関係が保持された所定の姿勢となるため、プロジェクターが使用される際の一般的な設置姿勢に対し、光源装置の姿勢を適切に対応させることができる。
【００１７】
（適用例５）上記適用例に係るプロジェクターにおいて、プロジェクター本体の設置される姿勢を検出する第２検出部を有し、判断部は、第１検出部と第２検出部との検出結果に基づき、プロジェクター本体の姿勢に対する光源装置の姿勢が所定の姿勢か否かを判断することが好ましい。
【００１８】
このようなプロジェクターによれば、第２検出部により、プロジェクター本体の姿勢を検出し、制御部の判断部は、第１検出部と第２検出部との検出結果に基づき、プロジェクター本体の姿勢に対する光源装置の姿勢が所定の姿勢か否かを判断する。これにより、光源装置のプロジェクター本体への組み込み間違いを防止し、光源装置の姿勢が所定の姿勢となるよう設置できる。従って、光源装置を適正な姿勢で確実に設置でき、光源装置の性能を維持できるプロジェクターが実現できる。また、従来のように、ユーザーが、プロジェクター本体の姿勢を設定する必要がなくなり、利便性も向上する。
【００１９】
（適用例６）上記適用例に係るプロジェクターにおいて、収容筐体に設けられ、光源ランプから射出される光束の光軸を中心とした所定角度の回転対称位置に配置され、電極に電力を供給する複数のコネクターを有していることが好ましい。
【００２０】
このようなプロジェクターによれば、収容筐体に設けられる複数のコネクターが、光源ランプから射出される光束の光軸を中心とした所定角度の回転対称位置に配置されている。これにより、例えば、プロジェクター本体が通常設置の姿勢の場合、プロジェクター本体内部に、光源装置を光源装置の下部（または上部）から挿入し、複数のコネクターのいずれかにより電極に電力を供給できる。また、例えば、プロジェクター本体が逆転設置の姿勢の場合、プロジェクター本体内部に、光源装置を光源装置の上部（または下部）から挿入し、複数のコネクターのいずれかにより電極に電力を供給できる。
【００２１】
（適用例７）上記適用例に係るプロジェクターにおいて、プロジェクター本体は、複数のコネクターのうち１つに接続する単数のコネクターを備えることが好ましい。
【００２２】
このようなプロジェクターによれば、プロジェクター本体に備えるコネクターは、１つでよく、プロジェクター本体の構成を簡単にできる。
【図面の簡単な説明】
【００２３】
【図１】実施形態に係るプロジェクターの光学系を模式的に示す平面図。
【図２】光源装置を示す概略構成図であり、（ａ）は光源装置の側面図であり、（ｂ）は光源装置の平面図であり、（ｃ）は光源装置の正面図。
【図３】プロジェクター本体の設置姿勢に対応させて光源装置を挿入する場合の説明図であり、（ａ）はプロジェクター本体が通常設置の姿勢の場合の説明図であり、（ｂ）はプロジェクター本体が逆転設置の姿勢の場合の説明図。
【図４】プロジェクターの回路構成を模式的に示す構成図。
【図５】制御部での制御に関する処理手順を示すフローチャート。
【発明を実施するための形態】
【００２４】
以下、実施形態を図面に基づいて説明する。
（実施形態）
【００２５】
図１は、実施形態に係るプロジェクターの光学系を模式的に示す平面図である。図１を参照して、プロジェクター１の光学系の構成および動作を説明する。
【００２６】
プロジェクター１は、光源装置３０から射出された光束を画像情報に応じて変調して画像光を形成し、形成した画像光をスクリーンＳＣ（図４参照）上に拡大投写する装置である。プロジェクター１は、外装を構成する外装筐体２１（図３参照）を備え、外装筐体２１内部に光学ユニット４や、プロジェクター１を動作させるための制御部５００（図４参照）などを含んで構成される回路構成部（図示省略）などを備えている。
【００２７】
光学ユニット４は、制御部５００による制御により、画像情報に応じて画像光を形成するものである。光学ユニット４は、光源装置３０（光源ランプ４１）と照明光学装置４２と色分離光学装置４３とリレー光学装置４４と光学装置４５と光学部品用筐体４６と投写光学装置４７とを備えている。
【００２８】
光源ランプ４１は、発光管４１１の発光により光束をリフレクター４１２で反射させて、被照明領域に射出するものである。光源ランプ４１は、発光管４１１およびリフレクター４１２を有している。照明光学装置４２は、光源ランプ４１から射出された光束に対し、照明光軸Ａに直交する面内での照度を均一化するためのものである。照明光学装置４２は、レンズアレイ４２１，４２２、反射ミラー４２３、偏光変換素子４２４、および重畳レンズ４２５を有している。また、照明光学装置４２は、３つのフィールドレンズ４２６を有している。フィールドレンズ４２６は、光学装置４５の３つの液晶パネル４５１の手前に配置され、レンズアレイ４２２から射出された各部分光束をその中心軸に対して平行な光束に変換する。
【００２９】
色分離光学装置４３は、照明光学装置４２からの照明光束を赤色（Ｒ）、緑色（Ｇ）、および青色（Ｂ）の３つの色光に分離して３つの液晶パネル４５１に導光するものである。色分離光学装置４３は、ダイクロイックミラー４３１，４３２、および反射ミラー４３３を有している。リレー光学装置４４は、色分離光学装置４３で分離された色光（本実施形態では赤色光）に対し、光路の長さが他の色光の光路の長さよりも長くなるため、光の発散などによる光の利用効率の低下を防止し、液晶パネル４５１（本実施形態では液晶パネル４５１Ｒ）まで導くものである。リレー光学装置４４は、入射側レンズ４４１、リレーレンズ４４３、および反射ミラー４４２，４４４を有している。
【００３０】
光学装置４５は、各液晶パネル４５１に入射した各色光を画像情報に応じて変調して色光毎の画像光を形成し、その後、色合成光学装置で合成させるものである。光学装置４５は、光変調素子（光学素子）としての３つの液晶パネル４５１、３つの入射側偏光板４５２、３つの射出側偏光板４５３、および色合成光学装置としてのクロスダイクロイックプリズム４５４を有している。また、３つの液晶パネル４５１は、赤色光用変調素子としての赤色光用の液晶パネル４５１Ｒ、緑色光用変調素子としての緑色光用の液晶パネル４５１Ｇ、および青色光用変調素子としての青色光用の液晶パネル４５１Ｂで構成されている。投写光学装置４７は、投写レンズ４７１を有し、光学装置４５（色合成光学装置）で合成された画像光をスクリーンＳＣに拡大投写する。
【００３１】
なお、上述した各光学装置４１〜４５，４７に関しては、種々の一般的なプロジェクターの光学系として利用されているため、詳細な説明を省略する。
【００３２】
光源装置３０は、光源ランプ４１と、光源ランプ４１を収容する収容筐体３１と、光源ランプ４１に不具合（破裂など）が発生した場合の保護用に光束射出側に設置される保護ガラス４１３などを含んで構成されている。光源装置３０の詳細な説明は後述する。光学部品用筐体４６は、内部に所定の照明光軸Ａが設定され、上述した各光学装置４１〜４５を照明光軸Ａに対する所定位置に配置する。そして、光源装置３０は、この光学部品用筐体４６の端部に形成される光源装置収容部４６１に収容される。
【００３３】
図２は、光源装置を示す概略構成図であり、図２（ａ）は、光源装置の側面図であり、図２（ｂ）は、光源装置の平面図であり、図２（ｃ）は、光源装置の正面図である。なお、図２（ｂ）では、上面３１Ａを一部切り欠き、光源ランプ４１の概略断面図も示している。図３は、プロジェクター本体の設置姿勢に対応させて光源装置を挿入する場合の説明図であり、図３（ａ）は、プロジェクター本体が通常設置の姿勢の場合の説明図であり、図３（ｂ）は、プロジェクター本体が逆転設置の姿勢の場合の説明図である。図３において、検出スイッチ５０１１および第３コネクター５０３１は、プロジェクター本体２内部（詳細は後述）に設置されているが、説明の便宜上、実線で示している。図２、図３を参照（適宜、図１参照）して、光源装置３０の構成、および光源装置３０のプロジェクター本体２への設置の方法などに関して説明する。
【００３４】
光源装置３０は、図１、図２に示すように、光源ランプ４１と、光源ランプ４１を収容して固定する収容筐体３１と、光源ランプ４１に不具合（破裂など）が発生した場合の保護用に光束射出側に設置される保護ガラス４１３などを含んで構成される。光源ランプ４１は、発光管４１１とリフレクター４１２などを有して構成される。発光管４１１は、中央部に略球状に膨出する石英ガラス製の発光部４１１１と、この発光部４１１１の両側に円柱状に延びる一対の封止部４１１２とで構成される。
【００３５】
発光部４１１１には、略球状の放電空間が形成され、この放電空間内には、水銀、希ガス、および少量の金属ハロゲン化物が封入されている。一対の封止部４１１２の内部には、一対の電極４１１３と電気的に接続されるモリブデン製の金属箔４１１４が挿入され、ガラス材料などで封止されている。各金属箔４１１４の端部には電極引出線としてのリード線４１１５が接続されている。このリード線４１１５は、分岐されて光源ランプ４１の外部まで延出している。
【００３６】
リード線４１１５に電圧を印加した場合、金属箔４１１４を介して電極４１１３間に電位差が生じて放電が生じ、アーク像を生成して発光部４１１１内部が発光する。なお、光源ランプ４１は、この発光部４１１１で放射状の光束が射出され、この射出された光束をリフレクター４１２で反射して被照明領域側に向けて射出する。また、リフレクター４１２で反射された光束は、光源装置３０から光束が射出される際、保護ガラス４１３を透過して射出される。
【００３７】
なお、本実施形態では、発光管４１１に超高圧水銀ランプを採用しているが、その他、メタルハライドランプ、高圧水銀ランプ、キセノンランプ、高圧ナトリウムランプ、ショートアークランプなどを適用してもよい。
【００３８】
リフレクター４１２は、本実施形態では、表面が湾曲した凹面形状となる放物面鏡を採用している。しかし、リフレクター４１２の表面は、これに限らず、楕円面鏡を用いる構成としてもよい。また、リフレクター４１２は、開口部４１２１を有し、この開口部４１２１に光源ランプ４１の一方の封止部４１１２を挿通し、位置調整後、無機系接着剤などにより固定している。
【００３９】
光源ランプ４１は、リフレクター４１２の凹面形状部の外周端部に形成される固定部（図示省略）と収容筐体３１の対応する領域とを金属部材（図示省略）で挟持することにより、収容筐体３１内部に固定される。
【００４０】
収容筐体３１は、断面略正方形の直方体の部材であり、６方向の面を有して構成され、内部空間に光源ランプ４１が上述したように設置される。この６面をそれぞれ、上面３１Ａ、下面３１Ｂ、前面３１Ｃ、背面３１Ｄ、左側面３１Ｅ、および右側面３１Ｆとする。前面３１Ｃは、光源装置３０から光束が射出される側となる。また、左側面３１Ｅは、図２（ｃ）に示すように、光源装置３０の前面３１Ｃから光源装置３０を見た状態で左側の面を示す。また、右側面３１Ｆは、図２（ｃ）に示すように、光源装置３０の前面３１Ｃから光源装置３０を見た状態で右側の面を示す。
【００４１】
収容筐体３１の前面３１Ｃには、光源ランプ４１から被照明領域側に向けて光束が射出される際に透過する円形状の保護ガラス４１３が固定されている。左側面３１Ｅには、下面３１Ｂに向け、前面３１Ｃから背面３１Ｄに渡って、直方体状に切り欠いた切り欠き部３１１が形成されている。この切り欠き部３１１の下面３１Ｂ側を向く面部３１１１には、前面３１Ｃ方向に位置し、下面３１Ｂ方向に向けて設置される第１コネクター６１を有している。また、第１コネクター６１は、面部３１１１にネジ固定（図示省略）されている。また、第１コネクター６１が設置される面部３１１１の背面３１Ｄ方向に位置し、下面３１Ｂ方向に向けて突出する凸部６３が形成されている。この凸部６３は、後述する第１検出部５０１（図３、図４参照）の可動ピン５０１１Ａ（図３参照）を押圧する。
【００４２】
また、右側面３１Ｆには、上面３１Ａに向け、前面３１Ｃから背面３１Ｄに渡って、直方体状に切り欠いた切り欠き部３１２が形成されている。この切り欠き部３１２の上面３１Ａ側を向く面部３１２１には、前面３１Ｃ方向に位置し、上面３１Ａ方向に向けて設置される第２コネクター６２を有している。また、第２コネクター６２は、面部３１２１にネジ固定（図示省略）されている。なお、面部３１２１の背面３１Ｄ方向には、上述した面部３１１１に形成される凸部６３のような突出部は形成されていない。
【００４３】
ここで、第１コネクター６１と第２コネクター６２とは、光源ランプ４１の照明光軸Ａに対して互いに１８０度の回転対称位置に設置されている。切り欠き部３１１，３１２も同様に、光源ランプ４１の照明光軸Ａに対して互いに１８０度の回転対称位置に形成されている。
【００４４】
第１コネクター６１は、下面３１Ｂ側が開口した箱状であり、２つのコネクトピン６１１が立設されている。また、コネクトピン６１１は、上面３１Ａ側の端部でそれぞれリード線４１１５と電気的に接続され、このリード線４１１５を介して発光部４１１１の電極４１１３に電気的に導通している。
【００４５】
第２コネクター６２も、第１コネクター６１と同様に構成されている。詳細には、第２コネクター６２は、上面３１Ａ側が開口した箱状であり、２つのコネクトピン６２１が立設されている。また、コネクトピン６２１は、下面３１Ｂ側の端部でそれぞれリード線４１１５と電気的に接続され、このリード線４１１５を介して発光部４１１１の電極４１１３に電気的に導通している。
【００４６】
プロジェクター本体２は、図３（ａ）に示すように、直方体形状をなす外装筐体２１を有して構成されており、内部には、図１に示した光学ユニット４が収容される。そして、プロジェクター本体２の上面２１Ａには、光学部品用筐体４６の光源装置収容部４６１に対応し、開口部２１１が形成されている。また、下面２１Ｂには、脚部２１２が設置されている。また、側面２１Ｃには、投写レンズ４７１が、外装筐体２１から突出している。
【００４７】
また、光源装置収容部４６１には、第１コネクター６１または第２コネクター６２と接続するための単数（１つ）の第３コネクター５０３１が設置されている。第３コネクター５０３１は、光源装置収容部４６１にネジ固定されている。第３コネクター５０３１は、２つの孔部を有する筒形状をなし、開口部２１１方向に向けて立接している。この孔部に、第１コネクター６１の２つのコネクトピン６１１、または第２コネクター６２の２つのコネクトピン６２１が挿入される。第３コネクター５０３１は、後述する光源ランプ駆動部５０３（図４参照）を構成する。
【００４８】
第３コネクター５０３１の横には、光源装置３０の凸部６３に対応し、後述する第１検出部５０１を構成する検出スイッチ５０１１が、図示省略する回路基板に実装されている。回路基板は、プロジェクター１の後述する回路構成部が実装されるものである。
【００４９】
検出スイッチ５０１１は、本実施形態では、プッシュタイプのスイッチを採用している。検出スイッチ５０１１は、検出スイッチ５０１１の本体から開口部２１１方向に向けて突出する可動ピン５０１１Ａを有して構成される。この検出スイッチ５０１１は、凸部６３により、可動ピン５０１１Ａが所定量押圧（押下）された場合に“ＯＮ”の信号を出力する。また、所定量押圧されない場合は“ＯＦＦ”の信号を出力する。
【００５０】
図３（ａ）を参照して、光源装置３０のプロジェクター本体２内部への挿入方法を説明する。
図３（ａ）は、上述したように、プロジェクター本体２が机上面に設置されて使用される状態を示している。この状態におけるプロジェクター本体２の姿勢が、通常設置の姿勢である。なお、以降の説明において、プロジェクター本体２の通常設置の姿勢を、通常姿勢と称する。
【００５１】
プロジェクター本体２が通常姿勢の場合、ユーザーは、最初に、光源装置３０の光束射出側（光源装置３０の前面３１Ｃ側）を、光源装置収容部４６１での光束射出側に合わせる。次に、ユーザーは、光源装置３０を、光源装置３０の下側に位置するプロジェクター本体２の開口部２１１に対して、光源装置３０の下面３１Ｂ側から挿入する。そして、光源装置収容部４６１の所定の位置に設置する。この設置により、第１コネクター６１が第３コネクター５０３１と接続される。また、このとき、凸部６３は、検出スイッチ５０１１の突出する可動ピン５０１１Ａを所定量押圧（押下）する。従って、検出スイッチ５０１１は、“ＯＮ”の信号を後述する第１検出部５０１に出力する。このように、プロジェクター本体２内部に光源装置３０を設置することにより、プロジェクター本体２の通常姿勢に対して光源装置３０の姿勢が所定の姿勢で設置されたことになる。
【００５２】
なお、プロジェクター本体２が通常姿勢の状態で、光源装置３０を上下逆転し、光源装置３０を上面３１Ａから挿入して設置した場合、第２コネクター６２と第３コネクター５０３１とが接続される。しかし、検出スイッチ５０１１の突出する可動ピン５０１１Ａを所定量押圧（押下）することができないため、検出スイッチ５０１１は、“ＯＦＦ”の信号を後述する第１検出部５０１に出力する。言い換えると、プロジェクター本体２の通常姿勢に対して光源装置３０の姿勢が所定の姿勢で設置されなかった場合には、検出スイッチ５０１１は、“ＯＦＦ”の信号を後述する第１検出部５０１に出力する。
【００５３】
光源装置３０を光源装置収容部４６１に設置した後、光源装置３０に設置される図示省略するネジを、光源装置収容部４６１に設置される図示省略するナットにネジ締めすることで、光源装置３０を光源装置収容部４６１に固定する。その後、開口部２１１に、カバー部材２１５を設置することで、光源装置３０のプロジェクター本体２内部への設置が完了する。
【００５４】
図３（ｂ）を参照して、光源装置３０のプロジェクター本体２内部への挿入方法を説明する。
図３（ｂ）は、上述したように、プロジェクター本体２が天井（天井に取り付けた治具）に上下逆転して設置されて使用される状態を示している。この状態におけるプロジェクター本体２の姿勢が、逆転設置の姿勢である。なお、以降の説明において、プロジェクター本体２の逆転設置の姿勢を、逆転姿勢と称する。
【００５５】
プロジェクター本体２が逆転姿勢の場合、ユーザーは、最初に、光源装置３０の光束射出側（光源装置３０の前面３１Ｃ側）を、光源装置収容部４６１での光束射出側に合わせる。次に、ユーザーは、光源装置３０を、光源装置３０の上側に位置するプロジェクター本体２の開口部２１１に対して、光源装置３０の上面３１Ａ側から挿入する。そして、光源装置収容部４６１の所定の位置に設置する。本実施形態では、プロジェクター本体２が逆転姿勢の場合にも、光源装置３０の上下の位置関係を逆転せずに、プロジェクター本体２が通常姿勢の場合と同様の位置関係となるように設置する。
【００５６】
この設置により、プロジェクター本体２が逆転姿勢の場合には、第２コネクター６２が第３コネクター５０３１と接続される。また、このとき、検出スイッチ５０１１の突出する可動ピン５０１１Ａは押圧されない。従って、検出スイッチ５０１１は、“ＯＦＦ”の信号を後述する第１検出部５０１に出力する。このように、プロジェクター本体２内部に光源装置３０を設置することにより、プロジェクター本体２の逆転姿勢に対して光源装置３０の姿勢が所定の姿勢で設置されたことになる。
【００５７】
なお、プロジェクター本体２が逆転姿勢の状態で、光源装置３０を上下逆転し、光源装置３０を下面３１Ｂから挿入して設置した場合、第１コネクター６１と第３コネクター５０３１とが接続される。しかし、検出スイッチ５０１１の突出する可動ピン５０１１Ａが、凸部６３により所定量押圧（押下）されるため、検出スイッチ５０１１は、“ＯＮ”の信号を後述する第１検出部５０１に出力する。言い換えると、プロジェクター本体２の逆転姿勢に対して光源装置３０の姿勢が所定の姿勢で設置されなかった場合には、検出スイッチ５０１１は、“ＯＮ”の信号を後述する第１検出部５０１に出力する。
【００５８】
光源装置３０を光源装置収容部４６１に設置した後、光源装置３０に設置される図示省略するネジを、光源装置収容部４６１に設置される図示省略するナットにネジ締めすることで、光源装置３０を光源装置収容部４６１に固定する。その後、開口部２１１に、カバー部材２１５を設置することで、光源装置３０のプロジェクター本体２内部への設置が完了する。
【００５９】
なお、光源装置３０を光源装置収容部４６１に固定する光源装置３０に設置される図示省略するネジも、光源ランプ４１の照明光軸Ａに対して互いに１８０度の回転対称位置に設置されている。
【００６０】
図４は、プロジェクターの回路構成を模式的に示す構成図である。図４を参照して、プロジェクター１の回路構成を説明する。
【００６１】
プロジェクター１は、制御部５００、信号変換部５３０、画像処理部５４０、液晶パネル駆動部５５０、リモコン制御部５６０、電源５７０、および表示部５８０を有して構成される。また、プロジェクター１は、第１検出部５０１、第２検出部５０２、および光源ランプ駆動部５０３などを有して構成される。また、制御部５００、信号変換部５３０、画像処理部５４０、およびリモコン制御部５６０は、バス５００ａにより互いに接続される。
【００６２】
信号変換部５３０は、画像入力端子５３１から入力されるアナログ画像信号（ＲＧＢ信号やコンポジット画像信号など）をＡＤ変換して、デジタル画像信号として画像処理部５４０に出力する。画像処理部５４０は、入力したデジタル画像信号に、フレームレート変換およびスケーリング処理などを行なって画像データを生成し、液晶パネル駆動部５５０に出力する。液晶パネル駆動部５５０は、画像処理部５４０から出力された画像データに基づき、光学装置４５を構成する各液晶パネル４５１を駆動する。
【００６３】
リモコン制御部５６０は、リモコン（リモートコントローラー）５６１からの操作信号に基づいてプロジェクター１の各部の機能を制御する信号を出力する。電源５７０は、プロジェクター１の外部から、電源ケーブル（図示省略）などにより電力が供給され、プロジェクター１内部の各部に電力を供給する。電源５７０は、電源ケーブルなどと接続するためのコネクター５７１を備えて構成される。
【００６４】
表示部５８０は、各種機能の設定時における選択用画面の表示や、後述するプロジェクター本体２の設置姿勢や光源装置３０の設置姿勢の結果などを表示する。
【００６５】
第２検出部５０２は、プロジェクター本体２内部に設置され、プロジェクター本体２が設置された姿勢の状態を検出する。詳細には、第２検出部５０２は、プロジェクター本体２の設置される姿勢（通常姿勢、逆転姿勢）を検出する。第２検出部５０２は、本実施形態では、２安定スイッチ（図示省略）を用いて構成されている。第２検出部５０２は、本実施形態では、通常姿勢である場合には“ＯＮ”の信号を制御部５００に出力し、また、逆転姿勢である場合には“ＯＦＦ”の信号を制御部５００に出力する。
【００６６】
第１検出部５０１は、上述したように、検出スイッチ５０１１（図３参照）を用いて構成される。検出スイッチ５０１１は、光源装置３０に形成された凸部６３に所定量押圧されることで“ＯＮ”となり、所定量押圧されない場合は“ＯＦＦ”となる。なお、プロジェクター本体２が通常姿勢の場合に適正な姿勢で光源装置３０が設置された場合、検出スイッチ５０１１は、“ＯＮ”となるように構成されている。また、プロジェクター本体２が逆転姿勢の場合に適正な姿勢で光源装置３０が設置された場合、検出スイッチ５０１１は、“ＯＦＦ”となるように構成されている。
【００６７】
制御部５００は、プロジェクター１の動作を統括して制御する。制御部５００は、第１検出部５０１および第２検出部５０２からの検出結果に基づき、光源ランプ駆動部５０３を制御している。制御部５００は、リモコン制御部５６０からの信号により、プロジェクター１の有する各種機能の設定を行ない、動作させるための信号を各構成部に出力して制御する。光源ランプ駆動部５０３は、制御部５００からの信号により、光源装置３０への電力供給を開始または停止する。これにより、光源ランプ４１は発光（点灯）または消灯する。
【００６８】
ここで、本実施形態の第１検出部５０１（光源装置３０の姿勢検出）および第２検出部５０２（プロジェクター本体２の姿勢検出）により出力される信号の状態に関して説明する。第２検出部５０２は、プロジェクター本体２が通常姿勢である場合は“ＯＮ”となり、逆転姿勢である場合は“ＯＦＦ”となる。そして、第１検出部５０１は、プロジェクター本体２が通常姿勢である場合（“ＯＮ”の場合）に、光源装置３０が所定（適正）の姿勢で設置された場合には、“ＯＮ”となり、所定（適正）の姿勢で設置されなかった場合には、“ＯＦＦ”となる。また、第１検出部５０１は、プロジェクター本体２が逆転姿勢である場合（“ＯＦＦ”の場合）に、光源装置３０が所定（適正）の姿勢で設置された場合には、“ＯＦＦ”となり、所定（適正）の姿勢で設置されなかった場合には、“ＯＮ”となる。
【００６９】
図５は、制御部での制御に関する処理手順を示すフローチャートである。図５を参照して、制御部５００の判断部としての制御方法に関して説明する。なお、本フローチャートは、プロジェクター本体２内部に光源装置３０を設置させた後、リモコン制御部５６０から制御部５００に対し、投写開始の指示信号が出力された後の制御方法を示している。
【００７０】
制御部５００は、本ルーチンを開始し、ステップＳ１００へ移行する。ステップＳ１００において制御部５００は、プロジェクター本体２の設置姿勢を検出する。上述したように、制御部５００は、第２検出部５０２の出力信号を入力し、プロジェクター本体２の設置姿勢（通常姿勢、逆転姿勢）を検出する。次にステップＳ１０１に移行する。ステップＳ１０１において制御部５００は、光源装置３０の設置姿勢を検出する。上述したように、制御部５００は、第１検出部５０１の出力信号を入力し、光源装置３０の設置姿勢を検出する。次にステップＳ１０２に移行する。
【００７１】
ステップＳ１０２において制御部５００は、判断部として動作し、第２検出部５０２で検出された信号（プロジェクター本体２の設置姿勢を示す信号）に基づき、通常姿勢か否（逆転姿勢）かを比較して判断する。制御部５００が通常姿勢である（第２検出部５０２の信号が“ＯＮ”）と判断した場合（ＹＥＳの場合）、ステップＳ１０３に移行する。また、制御部５００が否（逆転姿勢）である（第２検出部５０２の信号が“ＯＦＦ”）と判断した場合（ＮＯの場合）、ステップＳ１０５に移行する。
【００７２】
ステップＳ１０３において制御部５００は、判断部として動作し、第１検出部５０１で検出された信号（光源装置３０の設置姿勢を示す信号）に基づき、適正な姿勢か否かを比較して判断する。制御部５００が適正な姿勢である（第１検出部５０１の信号が“ＯＮ”）と判断した場合（ＹＥＳの場合）、ステップＳ１０４に移行する。ここまでの結果、制御部５００は、プロジェクター本体２は通常姿勢（“ＯＮ”）であり、光源装置３０は、所定の姿勢（“ＯＮ”）であると判断したことになる。
【００７３】
ステップＳ１０４において制御部５００は、光源ランプ駆動部５０３に対して光源ランプ４１の点灯を指示する信号を出力する。この信号を受け取った光源ランプ駆動部５０３は、光源装置３０への電力供給を開始する。これにより、光源ランプ４１は発光（点灯）を開始する。
【００７４】
ステップＳ１０２において制御部５００が、プロジェクター本体２の姿勢が逆転姿勢であると判断して、ステップＳ１０５に移行した場合、制御部５００は、判断部として動作し、ステップＳ１０３と同様に、第１検出部５０１で検出された信号（光源装置３０の設置姿勢を示す信号）に基づき、光源装置３０の設置姿勢が適正な姿勢か否かを比較して判断する。制御部５００が適正な姿勢である（第１検出部５０１の信号が“ＯＦＦ”）と判断した場合（ＹＥＳの場合）、ステップＳ１０６に移行する。ここまでの結果、制御部５００は、プロジェクター本体２は逆転姿勢（“ＯＦＦ”）であり、光源装置３０は、所定の姿勢（“ＯＦＦ”）であると判断したことになる。
【００７５】
ステップＳ１０６において制御部５００は、ステップＳ１０４と同様に、光源ランプ駆動部５０３に対して光源ランプ４１の点灯を指示する信号を出力する。この信号を受け取った光源ランプ駆動部５０３は、光源装置３０への電力供給を開始する。これにより、光源ランプ４１は発光（点灯）を開始する。
【００７６】
なお、ステップＳ１０５において、第１検出部５０１の信号が“ＯＮ”であり制御部５００が光源装置３０の姿勢が適正な姿勢ではない（否）と判断した場合（ＮＯの場合）、ステップＳ１０７に移行する。ステップＳ１０７において制御部５００は、光源ランプ駆動部５０３に対して光源ランプ４１の消灯を指示する信号を出力する。この信号を受け取った光源ランプ駆動部５０３は、光源装置３０への電力供給の停止を維持する（電力供給の開始を行なわない）。これにより、光源ランプ４１の点灯は開始されない。そしてステップＳ１０８に移行する。ここまでの結果、制御部５００は、プロジェクター本体２は逆転姿勢（“ＯＦＦ”）であり、光源装置３０は、所定の姿勢ではない（“ＯＮ”）と判断したことになる。
【００７７】
ステップＳ１０８において制御部５００は、表示部５８０に対して、光源装置３０の設置された姿勢が「適正な姿勢ではない」旨の表示を行なわせる指示を行なう。表示部５８０の表示により、ユーザーに対して、光源装置３０の設置姿勢が適正な姿勢となるように光源装置３０を挿入し直すことを伝えることができる。
【００７８】
また、ステップＳ１０３において、第１検出部５０１の信号が“ＯＦＦ”であり制御部５００が光源装置３０の姿勢が適正な姿勢ではない（否）と判断した場合（ＮＯの場合）、ステップＳ１０９に移行する。ステップＳ１０９において制御部５００は、光源ランプ駆動部５０３に対して光源ランプ４１の消灯を指示する信号を出力する。この信号を受け取った光源ランプ駆動部５０３は、光源装置３０への電力供給の停止を維持する（電力供給の開始を行なわない）。これにより、光源ランプ４１の点灯は開始されない。そしてステップＳ１１０に移行する。ここまでの結果、制御部５００は、プロジェクター本体２は通常姿勢（“ＯＮ”）であり、光源装置３０は、所定の姿勢ではない（“ＯＦＦ”）と判断したことになる。
【００７９】
ステップＳ１１０において制御部５００は、表示部５８０に対して、光源装置３０の設置された姿勢が「適正な姿勢ではない」旨の表示を行なわせる指示を行なう。表示部５８０の表示により、ユーザーに対して、光源装置３０の設置姿勢が適正な姿勢となるように光源装置３０を挿入し直すことを伝えることができる。
以上で本ルーチンが終了する。
【００８０】
上述した実施形態によれば、以下の効果が得られる。
本実施形態のプロジェクター１によれば、光源装置３０の収容筐体３１に設置された第１コネクター６１および第２コネクター６２が、照明光軸Ａを中心とした１８０度の回転対称位置に配設されている。これにより、プロジェクター本体２が通常姿勢の場合、プロジェクター本体２内部に、光源装置３０を光源装置３０の下部としての下面３１Ｂから挿入し、第１コネクター６１を、プロジェクター本体２内部に設ける第３コネクター５０３１に接続できる。また、プロジェクター本体２が逆転姿勢の場合、プロジェクター本体２内部に、光源装置３０を光源装置３０の上部としての上面３１Ａから挿入し、第２コネクター６２を、プロジェクター本体２内部に設ける第３コネクター５０３１に接続できる。
なお、プロジェクター１は、第１検出部５０１と、第２検出部５０２と、判断部を有する制御部５００と、を備えている。そして、第１検出部５０１は光源装置３０の姿勢を検出し、第２検出部５０２はプロジェクター本体２の設置される姿勢を検出する。制御部５００は、判断部で第１検出部５０１と第２検出部５０２との検出結果を比較してプロジェクター本体２の姿勢に対する光源装置３０の姿勢が所定の姿勢か否かを判断する。これにより、光源装置３０のプロジェクター本体２への組み込み間違いを防止し、光源装置３０の姿勢が所定の姿勢となるよう設置できる。従って、光源装置３０を適正な姿勢で確実にプロジェクター本体２に設置でき、光源装置３０の性能を維持できるプロジェクター１が実現できる。
【００８１】
本実施形態のプロジェクター１によれば、制御部５００は、判断部の判断結果がプロジェクター本体２の姿勢に対して「所定の姿勢である」場合には光源ランプ駆動部５０３に対して光源ランプ４１の点灯を指示する。これにより、光源装置３０（光源ランプ４１）は、光源ランプ駆動部５０３からの電力により点灯することができる。また、制御部５００は、判断部の判断結果がプロジェクター本体２の姿勢に対して「所定の姿勢ではない」場合には光源ランプ駆動部５０３に対して光源ランプ４１の消灯を指示する。これにより、光源装置３０（光源ランプ４１）は、光源ランプ駆動部５０３からは電力を供給されず、消灯することや消灯を維持することができる。従って、ユーザーは、光源装置３０をプロジェクター本体２内部に設置した場合、光源装置３０の設置姿勢が正しいか否かが、点灯するか点灯しないかで明確に判断できる。また、プロジェクター１は、このような制御部５００および光源ランプ駆動部５０３により、光源装置３０が適正な姿勢で設置され、光源装置３０の性能を維持することができる。
【００８２】
本実施形態のプロジェクター１によれば、ユーザーは、光源装置３０をプロジェクター本体２に設置した場合、光源装置３０の設置姿勢が正しくない場合には、表示部５８０から、所定の姿勢ではない旨の情報としての画像を出力されることにより判断できる。また、プロジェクター１は、このような制御部５００および表示部５８０により、光源装置３０が適切な姿勢で設置され、光源装置３０の性能を維持することができる。
【００８３】
本実施形態のプロジェクター１によれば、プロジェクター本体２の姿勢が通常姿勢と逆転姿勢のいずれの姿勢においても、光源装置３０の上下の位置関係が保持された姿勢（所定の姿勢）とさせることができる。従って、プロジェクター１が使用される際の一般的な設置姿勢に、光源装置３０の姿勢を適切に対応させることができる。
【００８４】
本実施形態のプロジェクター１によれば、所定の角度は、１８０度である。そのため、プロジェクター本体２を、通常姿勢から逆転姿勢に切り替えた場合、プロジェクター本体２に対して、光源装置３０の下面３１Ｂから挿入していたものを、１８０度方向が異なる、光源装置３０の上面３１Ａから挿入するという簡易な動作で、光源装置３０を所定の姿勢で設置することができる。また、第１コネクター６１と第２コネクター６２とを照明光軸Ａに対して１８０度の回転対称となる位置に設けるだけでよいのでコネクターの構成を簡単にできる。
【００８５】
本実施形態のプロジェクター１によれば、プロジェクター本体２内部には、第３コネクター５０３１を１つ備えるだけで対応することができるため、プロジェクター本体２の構成を簡単にできる。
【００８６】
本実施形態のプロジェクター１によれば、従来は、ユーザーが、プロジェクター本体２の姿勢を変化させた場合に、ユーザーがキー操作を行ない、プロジェクター本体２の制御部に備わるプログラムを動作させ、プロジェクター本体２の姿勢を設定していたのに対して、第２検出部５０２により、プロジェクター本体２の設置される姿勢が検出できる。これにより、ユーザーがプロジェクター本体２の姿勢を設定する必要がなくなり、プロジェクター１の利便性が向上する。
【００８７】
なお、上述した実施形態に限定されず、その要旨を逸脱しない範囲において種々の変更や改良などを加えて実施することが可能である。変形例を以下に述べる。
【００８８】
前記実施形態では、第２検出部５０２により、プロジェクター本体２の設置される姿勢を検出している。しかし、従来と同様に、例えば、制御部５００に、プロジェクター本体２の姿勢を設定できるプログラムを有し、ユーザーのキー操作による入力で、プロジェクター本体２の姿勢の情報を得ることでもよい。その場合には、第２検出部５０２を備えなくてもよい。また、この場合、制御部５００の判断部としての制御に関しては、図５に示すフローチャートにおいて、プロジェクター１の設置姿勢の情報は、ユーザーにより設定された情報（制御部５００に有するプログラムを起動して設定された情報）を用いて判断することで、前記実施形態と同様に行なうことができる。
【００８９】
前記実施形態の光源装置３０に設置する第１コネクター６１および第２コネクター６２の設置場所や設置方向などは適宜設定することができる。例えば、本実施形態では、光源装置３０の左側面３１Ｅに第１コネクター６１を下面３１Ｂ方向に向けて設置し、右側面３１Ｆに第２コネクター６２を上面３１Ａ方向に向けて設置している。しかし、第１コネクター６１を左側面３１Ｅに垂直方向に向けて設置し、第２コネクター６２を右側面３１Ｆに垂直方向に向けて設置し、プロジェクター本体２に対して水平方向から挿入して設置する構成としてもよい。
【００９０】
前記実施形態では、複数のコネクターとして第１コネクター６１および第２コネクター６２を採用している。しかし、これに限られず、さらにコネクターを追加して設置してもよい。
【００９１】
前記実施形態のプロジェクター１は、第２検出部５０２には、２安定スイッチを採用し、第１検出部５０１には、検出スイッチ５０１１を採用している。しかし、これに限られず、プロジェクター本体２の姿勢、および光源装置３０の姿勢が検出できる構成であれば第２検出部５０２および第１検出部５０１として採用できる。
【００９２】
前記実施形態の制御部５００でのフローチャートは、プロジェクター本体２内部に光源装置３０を設置した後、リモコン制御部５６０から制御部５００に対し、投写開始の指示信号が出力された後の制御方法を示している。しかし、プロジェクター１が電源ケーブル（図示省略）を介して外部電源に接続された後の操作信号の待ち受け状態などにおいて、プロジェクター本体２の姿勢検出および光源装置３０の姿勢検出を行なってもよい。
【００９３】
前記実施形態の制御部５００でのフローチャートは、プロジェクター本体２の姿勢に対して光源装置３０の姿勢が所定の姿勢ではない場合に、表示部５８０にその旨の表示をさせている。しかし、これに限られず、プロジェクター本体２の姿勢に対して光源装置３０の姿勢が所定の姿勢である場合にも、表示部５８０にその旨の表示をさせてもよい。
【００９４】
前記実施形態の回路構成では、出力部として表示部５８０を設け、各種機能の設定時における選択用画面の表示や、プロジェクター本体２の設置姿勢や光源装置３０の設置姿勢の結果などを表示する。しかし、表示部５８０の他、スピーカーなどの出力部を設けて、音による出力を行なってもよい。また、各種色光を出力するＬＥＤ（Light Emitting Diode）などの出力部を設けて、色光の点灯および消灯による出力を行なってもよい。
【００９５】
前記実施形態のプロジェクター１は、射出された光束の照度を均一化する光学系（照明光学装置４２）として、レンズアレイ４２１，４２２からなるレンズインテグレーター光学系を用いたが、これに限定されるものではなく、導光ロッドからなるロッドインテグレーター光学系も用いることができる。
【００９６】
前記実施形態のプロジェクター１は、フロントタイプのプロジェクターとして適用しているが、投写対象面としてのスクリーンを一体で有するリアタイプのプロジェクターにも適用できる。
【００９７】
前記実施形態のプロジェクター１の光学系において、光変調素子としての液晶パネル４５１Ｒ，４５１Ｇ，４５１Ｂは、透過型の液晶パネルを採用しているが、反射型の液晶パネルなど、反射型の光変調素子を用いることも可能である。
【００９８】
前記実施形態のプロジェクター１の光学系において、光変調素子としての液晶パネル４５１Ｒ，４５１Ｇ，４５１Ｂを採用している。しかし、これに限られず、一般に、入射光束を画像信号に基づいて変調するものであればよく、マイクロミラー型光変調素子などを採用してもよい。なお、マイクロミラー型光変調素子としては、例えば、ＤＭＤ（Digital Micromirror Device）を用いることができる。
【００９９】
前記実施形態のプロジェクター１の光学系において、光変調素子は、赤色光、緑色光、および青色光に対応して３つの液晶パネル４５１Ｒ，４５１Ｇ，４５１Ｂを用いる構成のいわゆる３板方式を採用している。しかし、これに限られず、単板方式を採用してもよい。また、コントラストを向上させるための液晶パネルを追加して採用してもよい。
【０１００】
前記実施形態のプロジェクター１の光学系において、光源ランプ４１は、前記実施形態で説明した構成に限られず、レーザーダイオード、ＬＥＤ（Light Emitting Diode）、有機ＥＬ（Electro Luminescence）素子、シリコン発光素子などの各種固体発光素子で構成してもよい。
【符号の説明】
【０１０１】
１…プロジェクター、２…プロジェクター本体、４…光学ユニット、３０…光源装置、３１…収容筐体、４１…光源ランプ、６１…第１コネクター、６２…第２コネクター、６３…凸部、２１１…開口部、４１１…発光管、４１２…リフレクター、５００…制御部、５０１…第１検出部、５０２…第２検出部、５０３…光源ランプ駆動部、５８０…表示部、５０１１…検出スイッチ、５０３１…第３コネクター、Ａ…照明光軸。
【図１】
2010266499.tif 000003
【図２】
2010266499.tif 000004
【図３】
2010266499.tif 000005
【図４】
2010266499.tif 000006
【図５】
2010266499.tif 000007